(57)【要約】【課題】  帯状の導電バーの片側のみに分岐ブレーカを配置した構成であっても、導電バーの撓みを防止でき且つ放熱を妨げず保護できるバー固定部材を備えた住宅用分電盤を提供する。【解決手段】  分岐ブレーカ２を接続する部位の導電バー３が左右方向に帯状に延設されると共に、複数の導電バー３が前後に重ねて配設されて成り、分岐ブレーカ２は導電バー３の一方の側面に対して平行に列設される一方、導電バー３の他方の側面はバー固定部材４により固定されて成り、バー固定部材４は重ねて配設された導電バー３の側部を覆う奥行き及び導電バー３配設方向に一定の幅を有する板状部４４を備え、板状部４４に個々の導電バー３を固定するためのバー係合部４５が形成されると共に、複数の開口部４３が形成されている。【選択図】  図４
2016082851.tif 000002
【特許請求の範囲】
【請求項１】
主幹ブレーカ及び複数の分岐ブレーカが収納され、両者が導電バーにより接続されて成り、前記分岐ブレーカを接続する部位の前記導電バーは、左右方向に帯状に延設されると共に、複数の前記導電バーが前後に重ねて配設されて成り、前記分岐ブレーカは前記帯状の導電バーに対して直交する方向から接続された住宅用分電盤であって、
前記分岐ブレーカは前記導電バーの一方の側面に対して平行に列設される一方、前記導電バーの他方の側面はバー固定部材により固定されて成り、
前記バー固定部材は、重ねて配設された前記導電バーの側部を覆う奥行き及び前記導電バー配設方向に一定の幅を有する板状部を備え、
前記板状部に、個々の前記導電バーを固定するためのバー係合部が形成されると共に、複数の開口部が形成されて成ることを特徴とする住宅用分電盤。
【請求項２】
前記バー係合部は、前記板状部の幅全域に亘り連続形成されると共に、前記開口部は前記バー係合部と平行に格子状に形成されて成ることを特徴とする請求項１記載の住宅用分電盤。
【発明の詳細な説明】
【技術分野】
【０００１】
本発明は住宅用分電盤に関し、特に分岐ブレーカを接続するために配設された導電バーが帯状に延設された住宅用分電盤に関する。
【背景技術】
【０００２】
住宅用分電盤は、主幹ブレーカの２次側から導電バーが横方向に延設され、その横方向に延びた導電バーに対して分岐ブレーカの一次側が接続される構成が普及している。そのため、多数組み付けられる分岐ブレーカは導電バーと平行に列設されるが、このときの分岐ブレーカの配置としては、横方向に延設された導電バーに対してその上下両側に配置される形態と、導電バーの一方の側（通常下側）のみに配置される形態がある。
【０００３】
上下双方に分岐ブレーカを配置した形態は、導電バーの両側面が分岐ブレーカにより閉塞されるため、導電バー自体が分岐ブレーカにより支持固定された。また、露出する部位が少ないため感電防止の部材を別途設ける必要がなかった。
しかし、下側のみに配置される形態は、導電バーの上側面が開放状態となるため、撓み防止や作業者の感電防止のために、閉塞部材を設けて閉塞した。例えば特許文献１では保護カバーを組み付けて導電バーの上部を覆った。
【０００４】
一方で、横幅を薄くして電源側端子が導電バーを噛むように構成された分岐ブレーカ（以下、「薄型ブレーカ」と称する。）があり、この薄型ブレーカを組み付け可能とした住宅用分電盤では、分岐ブレーカが接続される導電バーは一様な幅の帯状を成す板体であり、単相３線式の場合は３枚の導電バーが重ねて配設された。そして、この帯状の導電バーに対して複数の薄型ブレーカが列設されて接続された（例えば、特許文献２参照）。
【先行技術文献】
【特許文献】
【０００５】
【特許文献１】特開２００２−２９１１１７号公報
【特許文献２】特開２０１０−２６３６８２号公報
【発明の概要】
【発明が解決しようとする課題】
【０００６】
上述したように、薄型ブレーカを組み付け可能とした分電盤では、導電バーは板状に形成されたため延設した場合は撓み易いが、上記特許文献２のように分岐ブレーカを導電バーの両側に配置することで撓みを防止できた。
しかしながら、薄型ブレーカは多数列設しても従来のような幅を必要としないため、導電バーの下側に列設するだけで十分な場合が多く、その場合は上側に保護部材が必要となった。また、発生する熱の放熱を鑑みても下側のみに列設する形態が好ましい。
この場合、導電バーの開放される上側には特許文献１に開示されているような保護カバーを設置することが考えられるが、放熱を考慮すると熱が滞留し易く好ましくないし、元々従来の導電バーは撓み難い形状であるため、撓みを防止する機能を有していない。
【０００７】
そこで、本発明はこのような問題点に鑑み、帯状の導電バーの片側のみに分岐ブレーカを配置した構成であっても、導電バーの撓みを防止でき且つ放熱を妨げず保護できるバー固定部材を備えた住宅用分電盤を提供することを目的としている。
【課題を解決するための手段】
【０００８】
上記課題を解決する為に、請求項１の発明は、主幹ブレーカ及び複数の分岐ブレーカが収納され、両者が導電バーにより接続されて成り、分岐ブレーカを接続する部位の導電バーは、左右方向に帯状に延設されると共に、複数の導電バーが前後に重ねて配設されて成り、分岐ブレーカは帯状の導電バーに対して直交する方向から接続された住宅用分電盤であって、分岐ブレーカは導電バーの一方の側面に対して平行に列設される一方、導電バーの他方の側面はバー固定部材により固定されて成り、バー固定部材は、重ねて配設された導電バーの側部を覆う奥行き及び導電バー配設方向に一定の幅を有する板状部を備え、板状部に、個々の導電バーを固定するためのバー係合部が形成されると共に、複数の開口部が形成されて成ることを特徴とする。
この構成によれば、導電バーがバー固定部材で支持されるため撓みを防止できるし、バー固定部材は一定の幅を有するため導電バーを一定幅で覆うことができ、導電バーを保護して感電防止機能を発揮できる。一方で、一定の幅を有しても複数の開口部が形成されているため、分岐ブレーカの放熱を妨げることがないし、重ねて配設された複数の導電バーを１つのバー固定部材で容易に固定できる。
【０００９】
請求項２の発明は、請求項１に記載の構成において、バー係合部は、板状部の幅全域に亘り連続形成されると共に、開口部はバー係合部と平行に格子状に形成されて成ることを特徴とする。
この構成によれば、バー係合部は一定の幅で連続形成されるため、１つのバー固定部材を設けるだけでも支持範囲を広くでき、導電バーの撓みの発生を確実に無くすことができる。また、開口部は格子状に形成されることで、バー係合部が連続形成されても放熱機能を十分発揮できる。
【発明の効果】
【００１０】
本発明によれば、導電バーがバー固定部材で支持されるため撓みを防止できるし、バー固定部材は一定の幅を有するため導電バーを一定幅で覆うことができ、導電バーを保護して感電防止機能を発揮できる。一方で、一定の幅を有しても複数の開口部が形成されているため、分岐ブレーカの放熱を妨げることがないし、重ねて配設された複数の導電バーを１つのバー固定部材で容易に固定できる。
【図面の簡単な説明】
【００１１】
【図１】本発明に係る住宅用分電盤の一例を示す斜視図であり、カバーを外した状態を示している。
【図２】図１の住宅用分電盤の右側面図である。
【図３】図１の住宅用分電盤の平面図である。
【図４】Ａ部拡大図である。
【図５】Ｂ部拡大図である。
【図６】バー固定部材を示し、（ａ）は正面図、（ｂ）は平面図である。
【図７】バー固定部材を示し、（ａ）は側面図、（ｂ）はＣ−Ｃ線断面図である。
【図８】バー固定部材の他の例を示し、（ａ）は正面図、（ｂ）はＤ−Ｄ線断面図である。
【発明を実施するための形態】
【００１２】
以下、本発明を具体化した実施の形態を、図面を参照して詳細に説明する。図１は本発明に係る住宅用分電盤の一例を示し、カバーを外した斜視説明図であり、単相３線式の分電盤を示している。１は主幹ブレーカ、２は分岐ブレーカ、３は主幹ブレーカ１と分岐ブレーカ２とを接続する導電バー、４は導電バー３を固定して撓みの発生を防止するバー固定部材であり、基台１０に板状の架台５が組み付けられ、この架台５の上に各機器は組み付けられている。
尚、基台１０は、住宅用分電盤ケースの一部を成して壁面に設置され、図示しないカバーにより施蓋されて住宅用分電盤ケースは構成される。  
【００１３】
導電バー３は板状に形成され、分岐ブレーカ２を接続する部位は帯状を成して左右方向に直線配置されている。３本の導電バー３は前後に重ねて配設され、一端が主幹ブレーカ１の２次側に接続されている。この導電バー３に対して、露出している上側面を覆う様にバー固定部材４が設置されている。
【００１４】
図２は図１の住宅用分電盤の右側面図を示している。この図２に示すように、重ねて配置された導電バー３（第１導電バー３ａ、第２導電バー３ｂ、第３導電バー３ｃ）に対して分岐ブレーカ２は下方から接続されている。分岐ブレーカ２は、上述した薄型ブレーカであり、電源側端子はブレーカ筐体にコ字状の凹部を設けて形成され、挿入された導電バー３を挟持して連結するよう構成されている。また、個々の導電バー３は、適宜部位が架台５に前方へ向けて起立配置された支柱１１に支持されて固定されている。
尚、分岐ブレーカ２の電源側端子２ａは３本の導電バー３を挟持するが、そのうち２本が選択されて電気的に接続される。
【００１５】
図３は図１の住宅用分電盤の平面図を示している。図３に示すように、支柱１１は横方向に配設された導電バー３の左右端部を支持するよう設けられ、支持対象の導電バー３の位置に合わせた長さを有している。この支柱１１により、各導電バー３は所定位置に固定され、全体で３重に重ねて配置される。
【００１６】
図４はＡ部拡大図、図５はＢ部拡大図であり、何れもバー固定部材４を拡大した図である。また図６，図７はバー固定部材４単体を示し、図６（ａ）は正面図、図６（ｂ）は平面図、図７（ａ）は側面図、図７（ｂ）はＣ−Ｃ線断面図である。これら図４〜図７を参照してバー固定部材４を説明する。尚、説明の都合上、架台５に密着する背部を底部、分電盤前方に配設される部位を上部として説明する。
【００１７】
バー固定部材４は合成樹脂製で、底枠４１、左右側枠４２を有し、それらで囲まれた内部に格子状の開口部４３を有する板状部４４が形成されている。
底枠４１は架台５に固定するための部位であり、板状に形成されて架台５にねじ止めするための凹部４１ａが略中央に形成されている。側枠４２は板状部４４の強度を上げるための部材であり、底枠４１の左右端部から起立形成されている。
【００１８】
そして前面には、中央の第２導電バー３ｂ及び奥部の第３導電バー３ｃを挟持するバー係合部４５としての挟持部４５ａが一対形成され、最前部の第１導電バー３ａを支持するバー係合部４５としての載置部４５ｂが上部に形成されている。何れも左右の側枠４２と板状部４４との双方に亘り左右方向に連続形成されている。また、開口部４３はバー係合部４５を形成した部位を除く板状部４４全体に複数形成され、上下左右方向に整列形成され、全体で格子状に形成されている。
【００１９】
このように、導電バー３がバー固定部材４で支持されるため撓みを防止できるし、バー固定部材４は一定の幅を有するため導電バー３を一定幅で覆うことができ、導電バー３を保護して感電防止機能を発揮できる。一方で、一定の幅を有しても複数の開口部４３が形成されているため、分岐ブレーカ２の放熱を妨げることがないし、重ねて配設された複数の導電バー３を１つのバー固定部材４で容易に固定できる。
また、バー係合部４５は一定の幅で連続形成されるため、１つのバー固定部材４を設けるだけでも支持範囲を広くでき、導電バー３の撓みの発生を確実に無くすことができる。そして、開口部４３は格子状に形成されることで、バー係合部４５が連続形成されても放熱機能を十分発揮できる。
更に、挟持部４５ａにより第２及び第３の導電バー３ｂ、３ｃは、前後方向が固定されるため撓みが発生しないし、載置部４５ｂにより背部が支持された第１導電バー３ａは、後方に撓むことが無く導電バー３同士の接触を防止できる。
【００２０】
図８はバー固定部材４の他の形状を示している。図８（ａ）は正面図、図８（ｂ）はＤ−Ｄ線断面図であり、架台５へのねじ止めを必要とせず、また幅を狭くした形状を示している。
上記形態と同様に挟持部４５ａ及び載置部４５ｂを有しているが、下部に架台５に係止する第１係止爪４６ａを備えると共に、上部に第１導電バー３ａの端部に係止する第２係止爪４６ｂを具備し、ねじを使用せず固定できるよう構成されている。
尚、このバー固定部材４を使用する架台５には、第１係止爪４６ａを係止する係止孔（図示せず）が穿設されている。
このように、架台５や導電バー３に係止させる簡易な構成としても良い。そして、バー固定部材４の幅は任意であり、複数種類の幅のバー固定部材４を用意すれば、導電バー３の配設する長さの違いにスムーズに対応できる。また、導電バー３の露出部を覆うよう形成、或いは配置すれば、感電防止部材としても良好に使用できる。
【００２１】
尚、上記実施形態のバー固定部材４は、板状部４４の周囲に底枠４１、側枠４２を設けているが、板状部４４の強度が十分であれば左右側枠４２は無くても良い。
また、１つのバー固定部材４を取り付けた構成を示しているが、複数設置して導電バー３の露出する部位を無くしても良い。
【符号の説明】
【００２２】
１・・主幹ブレーカ、２・・分岐ブレーカ、３・・導電バー、４・・バー固定部材、１０・・基台、４３・・開口部、４４・・板状部、４５・・バー係合部。
【図１】
2016082851.tif 000003
【図２】
2016082851.tif 000004
【図３】
2016082851.tif 000005
【図４】
2016082851.tif 000006
【図５】
2016082851.tif 000007
【図６】
2016082851.tif 000008
【図７】
2016082851.tif 000009
【図８】
2016082851.tif 000010